(57)【特許請求の範囲】
【請求項１】
長手方向と短手方向とを有した平面形状である散水板ユニットおよび該散水板ユニットに給水する給水ユニットを備え、構造物に固定されるシャワー装置であって、
前記散水板ユニットが、多数の散水孔を有する散水板と、該散水板を取り囲む壁と、前記散水板と対向し前記散水板および前記壁と溜水空間を形成する蓋と、前記給水ユニットから供給される水を前記溜水空間に供給する絞り部材とを有し、
該絞り部材が、前記短手方向と交差する方向かつ前記壁に向かう方向に開口された複数の絞り孔を有し、
前記絞り部材の前記長手方向と直交する方向が、閉塞されていることを特徴とするシャワー装置。
【請求項２】
前記絞り部材が、前記散水板の前記短手方向の中央に設けられ、
前記複数の絞り孔が、前記短手方向と直交する方向に開口された第一絞り孔を有していることを特徴とする請求項１に記載のシャワー装置。
【請求項３】
前記散水板の外形が、前記散水板の中心線に対して線対称であり、
前記複数の絞り孔が、前記中心線に対して線対称に設けられていることを特徴とする請求項１または請求項２に記載のシャワー装置。
【請求項４】
前記複数の絞り孔が、同一円周上に設けられていることを特徴とする請求項３に記載のシャワー装置。
【請求項５】
前記複数の絞り孔が、前記同一円周上に等間隔に設けられていることを特徴とする請求項４に記載のシャワー装置。
【発明の詳細な説明】
【技術分野】
【０００１】
本発明は、長手方向と短手方向とを有した平面形状である散水板ユニットおよび該散水板ユニットに給水する給水ユニットを備え、構造物に固定されるシャワー装置に関する。
【背景技術】
【０００２】
従来、長手方向と短手方向とを有した平面形状である散水板ユニットを備えたシャワーヘッドがある（例えば、特許文献１参照。）。
【先行技術文献】
【特許文献】
【０００３】
【特許文献１】意匠登録第１４８２７２９号公報
【発明の概要】
【発明が解決しようとする課題】
【０００４】
このような長手方向と短手方向とを有した平面形状である散水板を備えたシャワーヘッドの給水構造として、一般的には、散水板の中央部にある継手部と上流配管が接続される。
そして、散水板の継手部から、同心円状に散水板内に水が拡がっていく。
【０００５】
しかしながら、このような長手方向と短手方向とを有した平面形状である散水板を備えたシャワーヘッドにおいて、同心円状に散水板内に水を拡げると、散水板が方向性を有しているため、散水板に設けられた散水孔から噴出される水量が長手方向と短手方向で不均一になってしまっており、更なる改良の余地があった。
【０００６】
そこで、本発明は、前述した従来技術の問題を解決するものであって、すなわち、散水孔から散水される湯水の量が散水板の長手方向と短手方向とで不均一になることを抑制することができるシャワー装置を提供することである。
【課題を解決するための手段】
【０００７】
本請求項１に係る発明は、長手方向と短手方向とを有した平面形状である散水板ユニットおよび該散水板ユニットに給水する給水ユニットを備え、構造物に固定されるシャワー装置であって、前記散水板ユニットが、多数の散水孔を有する散水板と、該散水板を取り囲む壁と、前記散水板と対向し前記散水板および前記壁と溜水空間を形成する蓋と、前記給水ユニットから供給される水を前記溜水空間に供給する絞り部材とを有し、該絞り部材が、前記短手方向と交差する方向かつ前記壁に向かう方向に開口された複数の絞り孔を有し、前記絞り部材の前記長手方向と直交する方向が、閉塞されていることにより、前述した課題を解決するものである。
【０００８】
本発明のシャワー装置は、散水板ユニットの平面形状が、長手方向と短手方向とを有していることにより、使用者と同様に方向によって長さが異なる散水板ユニットの平面形状が定められているため、散水板ユニットの放水領域のうち使用者に散水されない領域が削減され、前後方向と左右方向との幅が異なる使用者に対して効率よく散水することができるばかりでなく、以下の特有の構成に対応した格別の効果を奏することができる。
【０００９】
本請求項１に係る発明のシャワー装置は、絞り部材が、短手方向と交差する方向に開口された複数の絞り孔を有し、絞り部材の長手方向と直交する方向が、閉塞されていることにより、散水板の周端部のうち最も絞り部材から近い短手方向の周端部に向けて複数の絞り孔のいずれもが開口されないため、絞り部材から噴出された水が散水板の周端部側にある壁への衝突することによって生じる溜水空間内の水圧上昇が最も起こりやすい散水板の短手方向の周端部において、溜水空間内の水圧上昇が抑制される。
したがって、絞り部材の長手方向と直交する方向（すなわち、散水板の周端部のうち最も絞り部材から近い短手方向の壁）に向けて複数の絞り孔のいずれかが開口している場合に比べて、散水板の周端部における溜水空間内における水圧の偏りが抑制され、散水孔から散水される湯水の量が散水板の長手方向と短手方向とで不均一になることを抑制することができる。
【００１０】
本請求項２に係る発明は、請求項１に記載されたシャワー装置の構成に加えて、前記絞り部材が、前記散水板の前記短手方向の中央に設けられ、前記複数の絞り孔が、前記短手方向と直交する方向に開口された第一絞り孔を有していることにより、前述した課題を解決するものである。
【００１１】
本請求項２に係る発明のシャワー装置は、請求項１に係る発明が奏する効果に加えて、複数の絞り孔が、短手方向と直交する方向に開口された第一絞り孔を有していることにより、散水板の周端部のうち最も複数の絞り孔から遠い長手方向の周端部に向けて第一絞り孔が開口され、絞り孔から噴出される湯水が絞り部材から最も遠い散水板の長手方向の端部に効率よく供給されるため、絞り部材から距離の遠い散水板の長手方向における散水孔から散水される湯水の量を増やすことができる。
【００１２】
本請求項３に係る発明は、請求項１または請求項２に記載されたシャワー装置の構成に加えて、前記散水板の外形が、前記散水板の中心線に対して線対称であり、前記複数の絞り孔が、前記中心線に対して線対称に設けられていることにより、前述した課題を解決するものである。
【００１３】
本請求項３に係る発明のシャワー装置は、請求項１または請求項２に係る発明が奏する効果に加えて、複数の絞り孔が、中心線に対して線対称に設けられていることにより、溜水空間内の水圧分布が中心線に対して線対称になるため、散水孔から散水される湯水の量が場所によって不均一になることを更に抑制することができる。
【００１４】
本請求項４に係る発明は、請求項３に記載されたシャワー装置に加えて、前記複数の絞り孔が、同一円周上に設けられていることにより、前述した課題を解決するものである。
【００１５】
本請求項４に係る発明のシャワー装置は、請求項３に係る発明が奏する効果に加えて、複数の絞り孔が、同一円周上に設けられていることにより、絞り部材から噴出される湯水の量が不均一になることが抑制されるため、溜水空間への湯水の供給が場所によって不均一になることを抑制することができる。
【００１６】
本請求項５に係る発明は、請求項４に記載されたシャワー装置に加えて、前記複数の絞り孔が、前記同一円周上に等間隔に設けられていることにより、前述した課題を解決するものである。
【００１７】
本請求項５に係る発明のシャワー装置は、請求項４に係る発明が奏する効果に加えて、複数の絞り孔が、同一円周上に等間隔に設けられていることにより、絞り部材から噴出される湯水の量が不均一になることがより抑制されるため、溜水空間への湯水の供給が場所によって不均一になることをより抑制することができる。
【発明の効果】
【００１８】
本発明により、散水孔から散水される湯水の量が散水板の長手方向と短手方向とで不均一になることを抑制することができる。
【図面の簡単な説明】
【００１９】
【図１】本発明の実施形態のシャワー装置を備える浴室空間の側面図。
【図２】本発明の実施形態のシャワー装置の斜視外観図。
【図３】図２の側面断面図。
【図４】絞り部材の側面図（ａ）および斜視概観図（ｂ）。
【図５】吐水部材の斜視外観図（ａ）および側面断面図（ｂ）。
【図６】散水板ユニットにおける絞り部材の向きを示す図。
【図７】図３の要部拡大図。
【発明を実施するための形態】
【００２０】
以下に、本発明の実施形態であるシャワー装置について、図１乃至図７に基づいて説明する。
【００２１】
＜１．  浴室空間の概要＞
図１は本発明の実施形態のシャワー装置１００を備える浴室空間の側面図である。
【００２２】
シャワー装置１００は、後述する固定構造により浴室空間を形成する天井壁面（構造物）Ｗに固定されている。
【００２３】
そして、シャワー装置１００には、配管Ｔの一端が接続されており、配管Ｔの他端は温調・流調部Ｃに接続されている。
温調・流調部Ｃには冷水ＣＷと湯ＨＷとが流入しており、冷水ＣＷと湯ＨＷとが混合されることにより、湯水混合水（水）ＭＷが生成される。
すなわち、温調・流調部Ｃは、この湯水混合水ＭＷの温度および流量を使用者が調整する機構である。
そして、この温調・流調部Ｃで生成された湯水混合水ＭＷが、配管Ｔを経由してシャワー装置１００に供給される。
【００２４】
＜２．  シャワー装置の概要＞
図２は本発明の実施形態のシャワー装置１００の斜視外観図である。
【００２５】
シャワー装置１００は、水を放射する散水板ユニット１１０と、この散水板ユニット１１０に給水する給水ユニット１２０と、シャワー装置１００を天井壁面Ｗに固定するための天井固定ユニット１３０とを備えている。
【００２６】
まず、シャワー装置１００の天井壁面Ｗへの固定構造について説明する。
散水板ユニット１１０および散水板ユニット１１０と接続された給水ユニット１２０を、浴室空間内から天井壁面Ｗに設けられた開口に挿入する。
そして、散水板ユニット１１０の天井壁面Ｗ側に設けられた環状の天井固定パッキン１１１を天井壁面Ｗに当接させつつ、天井壁面Ｗの裏側から天井固定ユニット１３０の天井壁面Ｗ側に形成された円環状の座面１３１を天井壁面Ｗと当接させた状態で給水ユニット１２０に固定する。
これにより、天井壁面Ｗを天井固定パッキン１１１と天井固定ユニット１３０の座面１３１で挟持することになり、シャワー装置１００が天井壁面Ｗに固定される。
【００２７】
＜２．１．  散水板ユニットの構造＞
次に、本発明の主要部分である散水板ユニット１１０の構造について、図２および図３を用いて説明する。
【００２８】
まず、図２に示すように、散水板ユニット１１０の外観の板厚方向から見た平面形状は、長方形形状である。
すなわち、散水板ユニット１１０の平面形状が、長辺（長手）と短辺（短手）とを有している。
そして、長手方向と短手方向とは、直交している。
【００２９】
そして、図３は、図２における短手方向の中心における断面図である。
図３に示すように、散水板ユニット１１０は、多数の散水孔１１２ａを有する散水板１１２と、この散水板１１２と一体に形成されると共に散水板１１２の外周を取り囲む壁１１２ｂと、散水板１１２と対向し散水板１１２および壁１１２ｂと溜水空間Ｖを形成する蓋１１３と、から外観が形成されている。
さらに、前述の円環状の天井固定パッキン１１１が蓋１１３に載置されている。
【００３０】
また、一端を給水ユニット１２０と接続する筒状の継手１１４が、散水板ユニット１１０の中央部に設けられている（図２参照）。
そして、この継手１１４の他端には絞り部材１１６が内挿されている。
そして、この絞り部材１１６には、吐水部材１１５が内挿されており、給水ユニット１２０から供給された湯水混合水ＭＷは、継手１１４および吐水部材１１５を介して絞り部材１１６から溜水空間Ｖに供給される。
【００３１】
また、散水板ユニット１１０は、溜水空間Ｖ内に多数の散水ノズル１１７ａを有する平板状の散水パッキン１１７を備えている。
そして、この散水ノズル１１７ａが散水板１１２に設けられた散水孔１１２ａに挿入されており、これによって散水パッキン１１７の位置が固定される。
【００３２】
また、散水板１１２の外形は、散水板１１２の中心に対して点対称な長方形である。
すなわち、散水板１１２の外形は、散水板１１２の中心を通る中心線Ａ−ＡおよびＢ−Ｂに対して線対称である。
【００３３】
また、継手１１４、吐水部材１１５および絞り部材１１６の中心は、散水板１１２の中心と一致する。
すなわち、継手１１４、吐水部材１１５および絞り部材１１６は、散水板１１２の短手方向の中央および散水板１１２の長手方向の中央に設けられている。
【００３４】
＜２．２．  絞り部材の構造＞
次に、絞り部材１１６の構造について、図４を用いて説明する。
図４（ａ）は絞り部材１１６の側面図であり、図４（ｂ）は絞り部材１１６の斜視外観図である。
【００３５】
絞り部材１１６は、継手１１４に挿入される略筒状の絞り部材筒部１１６ａと、この絞り部材筒部１１６ａの先端に形成された平板環状の絞り部材鍔部１１６ｂと、から形成されている。
【００３６】
そして、絞り部材１１６には、水平方向に吐水する水平吐水部Ｈが複数形成されている。
水平吐水部Ｈは、絞り部材鍔部１１６ｂの内面から外面に向けて貫通している絞り孔１１６ｃと、絞り部材鍔部１１６ｂの平坦面上の鉛直上方側に設けられた溝１１６ｄと、溝１１６ｄを鉛直方向に貫通する方向に開口された絞り部材空気混入孔１１６ｅと、を有している。
【００３７】
さらに、溝１１６ｄは、絞り部材鍔部１１６ｂの端部まで伸びており、深さは絞り孔１１６ｃの直径よりも大きく、幅は絞り孔１１６ｃの直径の三倍より大きい。
また、１本の溝１１６ｄは、３つの絞り孔１１６ｃと連通している。
なお、以下「水平吐水部Ｈの吐水方向」とは、１つの水平吐水部Ｈ内にある３つの絞り孔１１６ｃのうち、中央の絞り孔１１６ｃの吐水方向を指す。
【００３８】
＜２．３．  吐水部材の構造＞
次に、吐水部材１１５の構造について、図５を用いて説明する。
図５（ａ）は吐水部材１１５の斜視外観図であり、図５（ｂ）は吐水部材１１５の側面断面図である。
【００３９】
吐水部材１１５は、略筒状の吐水部材継手部１１５ａと、吐水部材継手部１１５ａの先端に形成された円板状の吐水部材鍔部１１５ｂと、から形成される。
【００４０】
そして、吐水部材継手部１１５ａの吐水部材鍔部１１５ｂ側には、吐水部材鍔部１１５ｂの鍔が伸びる方向に開口された開口形状が円形である噴出孔１１５ｃが複数形成されている。
なお、本実施形態において、噴出孔１１５ｃの数は８個であるが、この数に限定されるものではない。
【００４１】
また、吐水部材鍔部１１５ｂには、鉛直方向に開口された空気混入孔１１５ｄが複数形成されている。
なお、本実施形態において、空気混入孔１１５ｄの数は２個であるが、この数に限定されるものではない。
【００４２】
＜２．４．絞り部材の取り付け向き＞
次いで絞り部材１１６の取り付け向きについて、散水板ユニット１１０における絞り部材１１６の向きを示す図である図６を用いて説明する。
【００４３】
図６に示すように、絞り部材１１６は円Ａの円周上に水平吐水部Ｈを６個有しており、この水平吐水部Ｈを時計回りに第一の水平吐水部Ｈ１、第二の水平吐水部Ｈ２、第三の水平吐水部Ｈ３、第四の水平吐水部Ｈ４、第五の水平吐水部Ｈ５、第六の水平吐水部Ｈ６とする。
そして、絞り部材１１６に形成された複数の絞り孔１１６ｃは、円Ａと同心円の円周上に形成されている。
【００４４】
６つの水平吐水部Ｈ１乃至Ｈ６の吐水方向はいずれも、散水板ユニット１１０の短手方向と交差する方向かつ壁１１２ｂに向かう方向となっている。
すなわち、絞り部材１１６に形成された複数の絞り孔１１６ｃの開口方向は、いずれも短手方向と交差する方向かつ壁１１２ｂに向かう方向となっている。
【００４５】
また、換言すると、水平吐水部Ｈの吐水方向は、いずれも散水板ユニット１１０の長手方向と直交する方向ではない。
すなわち、絞り部材１１６において、散水板ユニット１１０の長手方向と直交する方向は閉塞されている。
【００４６】
また、６つの水平吐水部Ｈのうち、第一の水平吐水部Ｈ１の吐水方向が散水板ユニット１１０の短手方向と直交している。
すなわち、第一の水平吐水部Ｈ１の吐水方向は、散水板ユニット１１０の長手方向と平行である。
換言すると、絞り部材１１６の複数の絞り孔１１６ｃは、散水板ユニット１１０の短手方向と直交する方向に開口された第一絞り孔（第一の水平吐水部Ｈ１のうち、中央の絞り孔１１６ｃ）を有している。
【００４７】
そして、第二の水平吐水部Ｈ２乃至第六の水平吐水部Ｈ６の吐水方向は、第一の水平吐水部Ｈ１の吐水方向から６０度ずつ等間隔である。
換言すると、絞り部材１１６の複数の絞り孔１１６ｃは、前述した同心円Ａ上に等間隔に設けられている。
【００４８】
また、６つの水平吐水部Ｈは、絞り部材１１６の中心線Ｌに対して線対称に設けられている。
換言すると、絞り部材１１６の複数の絞り孔１１６ｃは、中心線Ｌに対して線対称に設けられている。
【００４９】
＜３．  本実施形態の動作＞
続いて、本実施形態のシャワー装置１００の動作について、図１、図２、図３、図６および図３の要部拡大図である図７を用いて説明する。
【００５０】
まず、使用者が温調・流調部Ｃを操作することによって、温調・流調部Ｃに流入した冷水ＣＷと湯ＨＷとが混合され、湯水混合水ＭＷが配管Ｔに供給される（図１参照）。
【００５１】
そして、配管Ｔに接続された給水ユニット１２０（図２参照）を介してシャワー装置１００に湯水混合水ＭＷが供給される。
【００５２】
給水ユニット１２０に供給された湯水混合水ＭＷは、継手１１４を介して散水板ユニット１１０に流入する。
そして、散水板ユニット１１０に流入した湯水混合水ＭＷは、まず吐水部材１１５に流入する（図７参照）。
吐水部材１１５に流入した湯水混合水ＭＷは、噴出孔１１５ｃから水平方向に噴出される。
【００５３】
噴出孔１１５ｃから噴出した湯水混合水ＭＷは、吐水部材１１５と絞り部材１１６とから形成される空間Ｖ２に充満される。
そして、この空間Ｖ２に充満された湯水混合水ＭＷが、絞り部材１１６の絞り孔１１６ｃによって絞り部材１１６の外周側に噴出される。
【００５４】
このとき、絞り部材１１６の絞り孔１１６ｃの内径が、吐水部材１１５の噴出孔１１５ｃの内径より小さいため、絞り部材１１６の絞り孔１１６ｃから噴出される湯水混合水ＭＷの噴出流速は、吐水部材１１５の噴出孔１１５ｃから噴出される湯水混合水ＭＷの噴出流速より早くなる。
【００５５】
絞り部材１１６の絞り孔１１６ｃから噴出される湯水混合水ＭＷの噴出流速が早くなると、ベルヌーイの定理より絞り孔１１６より下流側にある絞り部材空気混入孔１１６ｅ近傍の圧力が低くなり、空気混入孔１１５ｄを介して外気がシャワー装置１００内に取り込まれる。
したがって、絞り孔１１６ｃから噴出される湯水混合水ＭＷは、絞り部材空気混入孔１１６ｅから空気を取り込んだ、気泡混入水となる。
【００５６】
このように、シャワー装置１００から吐水される湯水混合水ＭＷが、空気の混入された気泡混入水となることで、大粒の雨を浴びているような量感のある心地良い浴び心地のシャワー吐水ができることに加え、空気混入孔１１５ｄおよび絞り部材空気混入孔１１６ｅがない構成に比べて、使用する水の量を削減することができる。
【００５７】
絞り部材空気混入孔１１６ｅによって空気が混入された湯水混合水ＭＷは、溜水空間Ｖへと吐水される。
【００５８】
このとき、溜水空間Ｖの長手方向については、前述のように水平吐水部Ｈ（特に第一の水平吐水部Ｈ１，第四の水平吐水部Ｈ４）の吐水方向が長手方向と並行であるため、散水板１１２の短手方向の壁１１２ｂに向けて湯水混合水ＭＷが噴出される。
一方、溜水空間Ｖの短手方向については、前述のように水平吐水部Ｈの吐水方向が、いずれも散水板ユニット１１０の長手方向と直交する方向ではない（図６参照）ため、散水板１１２の長手方向の壁１１２ｂに向けては直接湯水混合水ＭＷが噴出されない。
【００５９】
これによって、絞り部材１１６から噴出された湯水混合水ＭＷが散水板１１２の周端部側にある壁１１２ｂへの衝突することによって生じる溜水空間Ｖ内の水圧上昇が最も起こりやすい散水板１１２の短手方向の周端部において、溜水空間Ｖ内の水圧上昇が抑制される。
したがって、絞り部材１１６の長手方向と直交する方向（すなわち、散水板１１２の周端部のうち最も絞り部材から近い短手方向の壁１１２ｂ）に向けて複数の絞り孔１１６ｃのいずれかが開口している場合に比べて、散水板１１２の周端部における溜水空間Ｖ内における水圧の偏りが抑制される。
【００６０】
なお、平面視の外観において長手方向と短手方向とを有するシャワー装置の場合、前述のように散水板ユニット内部において、短手方向の水圧が長手方向の水圧より大きくなってしまう。
そして、気泡混入水を生成するために絞り部材の絞り孔から噴出される湯水混合水ＭＷの噴出流速を高めると、短手方向の水圧がより高まりやすくなり、湯水混合水ＭＷを絞って噴出しない場合に比べて散水板ユニット内部の圧力が不均一になってしまう。
そこで、本実施形態のように、絞り部材に１１６において散水板ユニット１１０の長手方向と直交する方向を閉塞することで、散水板ユニット内部の圧力が不均一になりやすい気泡混入水を生成する場合であっても、散水板ユニット１１０の内部の水圧が不均一になり難くなり、その効果は甚大である。
【００６１】
＜４．  本実施形態の効果＞
このようにして得られた本実施形態のシャワー装置１００は、散水板ユニット１１０の平面形状が、長手方向と短手方向を有していることにより、使用者と同様に方向によって長さが異なる散水板ユニット１１０の平面形状が定められているため、散水板ユニット１１０の放水領域のうち使用者に散水されない領域が削減され、前後方向と左右方向との幅が異なる使用者に対して効率よく散水することができる。
【００６２】
さらに、絞り部材１１６が、短手方向と交差する方向に開口された複数の絞り孔１１６ｃを有し、絞り部材１１６の長手方向と直交する方向が、閉塞されていることにより、散水板１１２の周端部のうち最も絞り部材１１６から近い短手方向の周端部に向けて複数の絞り孔のいずれもが開口されないため、散水孔１１２ａから散水される湯水の量が散水板１１２の長手方向と短手方向とで不均一になることを抑制することができる。
【００６３】
さらに、複数の絞り孔１１６ｃが、短手方向と直交する方向に開口された第一絞り孔を有していることにより、散水板１１２の周端部のうち最も複数の絞り孔１１６ｃから遠い長手方向の周端部に向けて第一絞り孔が開口され、絞り孔１１６ｃから噴出される湯水が絞り部材１１６から最も遠い散水板１１２の長手方向の端部に効率よく供給されるため、絞り部材１１６から距離の遠い散水板１１２の長手方向における散水孔１１２ａから散水される湯水の量を増やすことができる。
【００６４】
さらに、複数の絞り孔１１６ｃが、中心線Ｌに対して線対称に設けられていることにより、溜水空間Ｖ内の水圧分布が中心線に対して線対称になるため、散水孔１１２ａから散水される湯水の量が場所によって不均一になることを更に抑制することができる。
【００６５】
さらに、複数の絞り孔１１６ｃが、同一円周上に設けられていることにより、絞り部材１１６から噴出される湯水の量が不均一になることが抑制されるため、溜水空間Ｖへの湯水の供給が場所によって不均一になることを抑制することができる。
【００６６】
さらに、複数の絞り孔１１６ｃが、同一円周上に等間隔に設けられていることにより、絞り部材１１６から噴出される湯水の量が不均一になることがより抑制されるため、溜水空間Ｖへの湯水の供給が場所によって不均一になることをより抑制することができる。
【００６７】
＜５．  変形例＞
以上、本発明を実施するための形態について説明したが、本発明は上記に限定されるものではない。
本発明は、長手方向と短手方向とを有した平面形状である散水板ユニットおよび該散水板ユニットに給水する給水ユニットを備え、構造物に固定されるシャワー装置であって、前記散水板ユニットが、多数の散水孔を有する散水板と、該散水板を取り囲む壁と、前記散水板と対向し前記散水板および前記壁と溜水空間を形成する蓋と、前記給水ユニットから供給される水を前記溜水空間に供給する絞り部材とを有し、該絞り部材が、前記短手方向と交差する方向かつ前記壁に向かう方向に開口された複数の絞り孔を有し、前記絞り部材の前記長手方向と直交する方向が、閉塞されているものであり、散水孔から散水される湯水の量が散水板の長手方向と短手方向とで不均一になることを抑制することができるものであれば、その具体的な実施態様は、如何なるものであっても構わない。
【００６８】
本実施形態においては、シャワー装置は浴室空間の天井の壁面に埋め込まれているが、構造物に固定されていれば如何なる場所に設けられてもよい。
たとえば、浴室空間の周囲の壁からシャワー装置が突出していてもよいし、屋外に設けられた壁や柱等の構造物からシャワー装置が突出していてもよい。
【００６９】
また、本実施形態においては、散水板ユニットの外観の平面形状が長方形形状であったが、散水板ユニットの平面形状において長辺（長手）と短辺（短手）とを有しているものであれば、散水板ユニットの平面形状は楕円（長軸が長手に相当し、短軸が短手に相当）等、如何なるものであってもよい。
【００７０】
また、本実施形態においては、シャワー装置内の湯水混合水に空気を混入させる機構をシャワー装置が有していたが、この機構はなくてもよい。
【００７１】
また、前述した実施形態が備える各要素は、技術的に可能である限り組み合わせることができ、これらを組み合わせたものも本発明の特徴を含む限り本発明の範囲に包含される。
【符号の説明】
【００７２】
１００  ・・・  シャワー装置
１１０  ・・・  散水板ユニット
１１１  ・・・  天井固定パッキン
１１２  ・・・  散水板
１１２ａ・・・  散水孔
１１２ｂ・・・  壁
１１３  ・・・  蓋
１１４  ・・・  継手
１１５  ・・・  吐水部材
１１５ａ・・・  吐水部材継手部
１１５ｂ・・・  吐水部材鍔部
１１５ｃ・・・  噴出孔
１１５ｄ・・・  空気混入孔
１１６  ・・・  絞り部材
１１６ａ・・・  絞り部材筒部
１１６ｂ・・・  絞り部材鍔部
１１６ｃ・・・  絞り孔
１１６ｄ・・・  溝
１１６ｅ・・・  絞り部材空気混入孔
１１７  ・・・  散水パッキン
１１７ａ・・・  散水ノズル
１２０  ・・・  給水ユニット
１３０  ・・・  天井固定ユニット
１３１  ・・・  座面
Ｖ    ・・・  溜水空間
Ｖ２  ・・・  空間
Ａ    ・・・  円
Ｌ    ・・・  中心線
Ｈ    ・・・  水平吐水部
Ｗ    ・・・  天井壁面（構造物）
Ｃ    ・・・  温調・流調部
Ｔ    ・・・  配管
ＣＷ  ・・・  冷水
ＨＷ  ・・・  湯
ＭＷ  ・・・  湯水混合水（水）
【図１】
0006406615.tif 000002
【図２】
0006406615.tif 000003
【図３】
0006406615.tif 000004
【図４】
0006406615.tif 000005
【図５】
0006406615.tif 000006
【図６】
0006406615.tif 000007
【図７】
0006406615.tif 000008